【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
通信信号を増幅するためのマルチモード電力増幅器であって、
第１の増幅器と、
第２の増幅器と、
前記通信信号を前記第１の増幅器および前記第２の増幅器に結合する入力結合ブロックと、
前記第２の増幅器の出力と前記マルチモード電力増幅器の出力との間で結合された誘導性カプラと、
を備え、
前記誘導性カプラは、
前記第１の増幅器の出力に結合された第１の端子を含み、かつ前記マルチモード電力増幅器の前記出力に結合された第２の端子を含む、第１の誘導性素子と、
前記第２の増幅器の前記出力の両端に結合された第２の誘導性素子と、
を備え、
ここにおいて、前記第１の増幅器は、第１のモード中に、前記第１の増幅器を介して前記マルチモード電力増幅器の前記出力に前記通信信号を提供する出力インダクタとして動作するように前記第１の誘導性素子を構成し、前記第１の増幅器は、第２のモード中に、前記マルチモード電力増幅器の前記出力に前記第２の増幅器の前記出力を結合するバランとして動作するように前記第１の誘導性素子を構成する、
マルチモード電力増幅器。
【請求項２】
前記マルチモード電力増幅器の所望された送信出力電力に少なくとも部分的に基づいて、モード選択信号を生成するための制御ブロックをさらに備える、請求項１に記載のマルチモード電力増幅器。
【請求項３】
前記通信信号のプロトコルタイプに少なくとも部分的に基づいて、モード選択信号を生成するための制御ブロックをさらに備える、請求項１に記載のマルチモード電力増幅器。
【請求項４】
前記制御ブロックは、前記所望された送信出力電力が閾値レベルよりも小さいときに、前記モード選択信号を第１の論理状態へと駆動し、
前記制御ブロックは、前記所望された送信出力電力が閾値レベルよりも大きいときに、前記モード選択信号を第２の論理状態へと駆動する、請求項２に記載のマルチモード電力増幅器。
【請求項５】
前記第１の増幅器の構成は、前記モード選択信号に応答する、請求項２に記載のマルチモード電力増幅器。
【請求項６】
前記第１のモード中に、前記第１の増幅器は、前記通信信号を前記第１の誘導性素子の前記第１の端子へと駆動することになり、
前記第２のモード中に、前記第１の増幅器は、前記第１の誘導性素子の前記第１の端子を基準電圧に結合することになる、請求項１に記載のマルチモード電力増幅器。
【請求項７】
前記第１の増幅器は、電源電圧と前記マルチモード電力増幅器の前記出力との間で結合された第１のトランジスタを含み、かつ前記マルチモード電力増幅器の前記出力と接地電位との間で結合された第２のトランジスタを含み、
前記第１のモード中に、前記第１のトランジスタと前記第２のトランジスタとは、共にインバータとして動作し、
前記第２のモード中に、前記第１のトランジスタは、前記マルチモード電力増幅器の前記出力を前記電源電圧から分離し、前記第２のトランジスタは、前記第１の誘導性素子の前記第１の端子を接地電位に結合する、請求項１に記載のマルチモード電力増幅器。
【請求項８】
前記入力結合ブロックは、前記第１のモード中に、前記通信信号を前記第１の増幅器に結合し、前記第２のモード中に、前記通信信号を前記第２の増幅器に結合する、請求項１に記載のマルチモード電力増幅器。
【請求項９】
前記誘導性カプラは、前記第１の増幅器の前記出力および／または前記第２の増幅器の前記出力を電力検出器に結合することになる、請求項１に記載のマルチモード電力増幅器。
【請求項１０】
通信信号を増幅するためのワイヤレス通信デバイスであって、
第１のトランシーバと、
請求項１に記載の前記マルチモード電力増幅器と
を備える、ワイヤレス通信デバイス。
【請求項１１】
マルチモード電力増幅器を介して通信信号を増幅するための方法であって、
通信信号を、第１の増幅器および第２の増幅器に結合することと、
第１の誘導性素子を前記第１の増幅器の出力に結合することと、
第２の誘導性素子を前記第２の増幅器の出力の両端に結合することと、
前記第１の増幅器によって、前記第１の誘導性素子を、第１のモード中に前記第１の増幅器を介して前記マルチモード電力増幅器の出力に前記通信信号を提供する出力インダクタとして動作するように、構成することと、
前記第１の増幅器によって、前記第１の誘導性素子を、第２のモード中に前記マルチモード電力増幅器の前記出力に前記第２の増幅器からの前記出力を結合するバランとして動作するように、構成することと
を備える、方法。
【請求項１２】
前記マルチモード電力増幅器の送信出力電力に少なくとも部分的に基づいて、モード選択信号を生成すること
をさらに備える、請求項１１に記載の方法。
【請求項１３】
前記モード選択信号を生成することは、
所望された送信出力電力が閾値レベルよりも小さいときに、前記モード選択信号を第１の論理状態へと駆動することと、
前記所望された送信出力電力が前記閾値レベルよりも大きいときに、前記モード選択信号を第２の論理状態へと駆動することと
を備える、請求項１１に記載の方法。
【手続補正２】
【補正対象書類名】明細書
【補正対象項目名】００３９
【補正方法】変更
【補正の内容】
【００３９】
[0044]  前述の明細書では、本実施形態が、その特定の例示的な実施形態を参照して説明されている。しかしながら、添付の請求項で説明されるような開示のより広い範囲から逸脱することなく、それらに対する様々な修正および変更がなされ得ることは明らかだろう。従って、本明細書および図面は、限定的な意味ではなく、むしろ例示的な意味で考慮されるべきである。
以下に本願の出願当初の特許請求の範囲に記載された発明を付記する。
[Ｃ１]  通信信号を増幅するためのマルチモード電力増幅器であって、
第１の増幅器と、
第２の増幅器と、
前記第２の増幅器の出力と前記マルチモード電力増幅器の出力との間で結合された誘導性カプラと、
を備え、
前記誘導性カプラは、
前記第１の増幅器の出力に結合された第１の端子を含み、前記マルチモード電力増幅器の前記出力に結合された第２の端子を含む第１の誘導性素子と、
前記第２の増幅器の前記出力の両端に結合された第２の誘導性素子と、
を備え、
ここにおいて、前記第１の増幅器は、第１のモード中に、前記第１の増幅器を介して前記マルチモード電力増幅器の前記出力に前記通信信号を提供する出力インダクタとして動作するように前記第１の誘導性素子を構成するためのものであり、前記第１の増幅器は、第２のモード中に、前記マルチモード電力増幅器の前記出力に前記第２の増幅器の前記出力を結合するバランとして動作するように前記第１の誘導性素子を構成するためのものである、マルチモード電力増幅器。
[Ｃ２]  前記マルチモード電力増幅器の所望された送信出力電力に少なくとも部分的に基づいて、モード選択信号を生成するための制御ブロックをさらに備える、Ｃ１に記載のマルチモード電力増幅器。
[Ｃ３]  前記通信信号のプロトコルタイプに少なくとも部分的に基づいて、モード選択信号を生成するための制御ブロックをさらに備える、Ｃ１に記載のマルチモード電力増幅器。
[Ｃ４]  前記制御ブロックは、前記所望された送信出力電力が閾値レベルよりも小さいときに、前記モード選択信号を第１の状態へと駆動し、
前記制御ブロックは、前記所望された送信出力電力が閾値レベルよりも大きいときに、前記モード選択信号を第２の状態へと駆動する、Ｃ２に記載のマルチモード電力増幅器。
[Ｃ５]  前記第１の増幅器の構成は、前記モード選択信号に応答する、Ｃ２に記載のマルチモード電力増幅器。
[Ｃ６]  前記第１のモード中に、前記第１の増幅器は、前記通信信号を前記第１の誘導性素子の前記第１の端子へと駆動するためのものであり、
前記第２のモード中に、前記第１の増幅器は、前記第１の誘導性素子の前記第１の端子を基準電圧に結合するためのものである、Ｃ１に記載のマルチモード電力増幅器。
[Ｃ７]  前記第１の増幅器は、電源電圧と前記マルチモード電力増幅器の前記出力との間で結合された第１のトランジスタを含み、前記マルチモード電力増幅器の前記出力と接地電位との間で結合された第２のトランジスタを含み、
前記第１のモード中に、前記第１のトランジスタと前記第２のトランジスタとは、共にインバータとして動作し、
前記第２のモード中に、前記第１のトランジスタは、前記マルチモード電力増幅器の前記出力を前記電源電圧から分離し、前記第２のトランジスタは、前記第１の誘導性素子の前記第１の端子を接地電位に結合する、Ｃ１に記載のマルチモード電力増幅器。
[Ｃ８]  前記第１のモード中に、前記通信信号を前記第１の増幅器に結合し、前記第２のモード中に、前記通信信号を前記第２の増幅器に結合するための入力セレクタをさらに備える、Ｃ１に記載のマルチモード電力増幅器。
[Ｃ９]  前記誘導性カプラは、前記第１の増幅器の前記出力および／または前記第２の増幅器の前記出力を電力検出器に結合するためのものである、Ｃ１に記載のマルチモード電力増幅器。
[Ｃ１０]  通信信号を増幅するためのワイヤレス通信デバイスであって、前記デバイスは、
第１のトランシーバと、
前記第１のトランシーバに結合されたマルチモード電力増幅器と
を備え、
前記マルチモード電力増幅器は、
第１の増幅器と、
第２の増幅器と、
前記第２の増幅器の出力と前記マルチモード電力増幅器の出力との間で結合された誘導性カプラと、
を備え、前記誘導性カプラは、
前記第１の増幅器の出力に結合された第１の端子を含み、前記マルチモード電力増幅器の前記出力に結合された第２の端子を含む第１の誘導性素子と、
前記第２の増幅器の前記出力の両端に結合された第２の誘導性素子と、
を備え、
ここにおいて、前記第１の増幅器は、第１のモード中に、前記第１の増幅器を介して前記マルチモード電力増幅器の前記出力に前記通信信号を提供する出力インダクタとして動作するように前記第１の誘導性素子を構成するためのものであり、前記第１の増幅器は、第２のモード中に、前記マルチモード電力増幅器の前記出力に前記第２の増幅器の前記出力を結合するバランとして動作するように前記第１の誘導性素子を構成するためのものである、ワイヤレス通信デバイス。
[Ｃ１１]  前記マルチモード電力増幅器は、前記マルチモード電力増幅器の送信出力電力に少なくとも部分的に基づいて、モード選択信号を生成するための制御ブロックをさらに備える、Ｃ１０に記載のデバイス。
[Ｃ１２]  前記通信信号のプロトコルタイプに少なくとも部分的に基づいて、モード選択信号を生成するための制御ブロックをさらに備える、Ｃ１０に記載のデバイス。
[Ｃ１３]  前記制御ブロックは、所望された送信出力電力が閾値レベルよりも小さいときに、前記モード選択信号を第１の状態へと駆動し、
前記制御ブロックは、前記所望された送信出力電力が閾値レベルよりも大きいときに、前記モード選択信号を第２の状態へと駆動する、Ｃ１１に記載のデバイス。
[Ｃ１４]  前記第１の増幅器の構成は、前記モード選択信号に応答する、Ｃ１１に記載のデバイス。
[Ｃ１５]  前記第１のモード中に、前記第１の増幅器は、前記通信信号を前記第１の誘導性素子の前記第１の端子へと駆動するためのものであり、
前記第２のモード中に、前記第１の増幅器は、前記第１の誘導性素子の前記第１の端子を基準電圧に結合するためのものである、Ｃ１０に記載のデバイス。
[Ｃ１６]  前記第１の増幅器は、電源電圧と前記マルチモード電力増幅器の前記出力との間で結合された第１のトランジスタを含み、前記マルチモード電力増幅器の前記出力と接地電位との間で結合された第２のトランジスタを含み、
前記第１のモード中に、前記第１のトランジスタと前記第２のトランジスタとは、共にインバータとして動作し、
前記第２のモード中に、前記第１のトランジスタは、前記マルチモード電力増幅器の前記出力を前記電源電圧から分離し、前記第２のトランジスタは、前記第１の誘導性素子の前記第１の端子を接地電位に結合する、Ｃ１０に記載のデバイス。
[Ｃ１７]  前記第１のモード中に、前記通信信号を前記第１の増幅器に結合し、前記第２のモード中に、前記通信信号を前記第２の増幅器に結合するための入力セレクタをさらに備える、Ｃ１０に記載のデバイス。
[Ｃ１８]  前記誘導性カプラは、前記第１の増幅器の前記出力および／または前記第２の増幅器の前記出力を電力検出器に結合するためのものである、Ｃ１０に記載のデバイス。
[Ｃ１９]  マルチモード電力増幅器を介して通信信号を増幅するための方法であって、前記方法は、
第１の誘導性素子を第１の増幅器の出力に結合することと、
第２の誘導性素子を第２の増幅器の出力の両端に結合することと、
第１のモード中に、前記第１の増幅器を介して前記マルチモード電力増幅器の出力に前記通信信号を提供する出力インダクタとして動作するように、前記第１の誘導性素子を前記第１の増幅器によって構成することと、
第２のモード中に、前記マルチモード電力増幅器の前記出力に前記第２の増幅器からの前記出力を結合するバランとして動作するように、前記第１の誘導性素子を前記第１の増幅器によって構成することと
を備える、方法。
[Ｃ２０]  前記マルチモード電力増幅器の送信出力電力に少なくとも部分的に基づいて、モード選択信号を生成すること
をさらに備える、Ｃ１９に記載の方法。
[Ｃ２１]  前記モード選択信号を生成することは、
所望された送信出力電力が閾値レベルよりも小さいときに、前記モード選択信号を第１の状態へと駆動することと、
前記所望された送信出力電力が前記閾値レベルよりも大きいときに、前記モード選択信号を第２の状態へと駆動することと
を備える、Ｃ２０に記載の方法。